(57)【特許請求の範囲】
【請求項１】
静電容量方式と電磁誘導方式のデュアルモードタッチスクリーンのタッチ制御方法であって、
前記タッチスクリーン上における手書きアプリケーションコントロールをタッチして生成した手書きアプリケーションに入る制御コマンドを受信するステップと、ただし、前記手書きアプリケーションは手書き機能を具備するすべてのサブアプリケーションを集積したものであり、
前記の手書きアプリケーションに入る制御コマンドに応じて手書きアプリケーションを起動し、前記タッチスクリーン上に手書き機能を具備する少なくとも２つのサブアプリケーションコントロールを表示するステップと、
そのうち１つの前記サブアプリケーションコントロールをタッチして生成したサブアプリケーションに入る制御コマンドを受信するステップと、
前記のサブアプリケーションに入る制御コマンドに応じてサブアプリケーションを起動し、前記タッチスクリーン上に相応のサブアプリケーションに対応する第１領域及び第２領域を表示するステップと、ただし、前記第１領域は少なくとも手書き入力を行うことに用いられ、前記第２領域は制御を行う領域であり、
前記タッチスクリーン上に生成したタッチコマンドを受信するステップと、
前記タッチコマンドのタッチスクリーンにおける接触点座標を取得するステップと、
前記タッチコマンドのタッチスクリーンにおける接触点座標が第１領域に位置するか、それとも第２領域に位置するかを判断するステップと、
取得した前記接触点座標が第１領域内に位置すると判断した場合、前記タッチコマンドが静電容量方式による感応コマンドであるか、それとも電磁誘導方式による感応コマンドであるかを判断するステップと、
電磁誘導方式による感応コマンドである場合、手書き入力モードに応じて前記タッチコマンドを処理し、静電容量方式による感応コマンドである場合、タッチ制御モードに応じて前記タッチコマンドを処理するステップと、
取得した前記接触点座標が第２領域内に位置すると判断した場合、タッチ制御モードに応じて前記タッチコマンドを処理するステップと、
を含む静電容量方式と電磁誘導方式のデュアルモードタッチスクリーンのタッチ制御方法。
【請求項２】
前記の手書き入力モードに応じて前記タッチコマンドを処理するステップは、手書き入力モードに応じて前記タッチコマンドを第１領域に表示される手書き筆跡に変換して手書き筆跡記録を行うことを含む請求項１に記載のタッチ制御方法。
【請求項３】
タッチスクリーン上に生成したタッチコマンドを受信するステップと、
前記タッチコマンドが静電容量方式による感応コマンドであるか、それとも電磁誘導方式による感応コマンドであるかを判断するステップと、
電磁誘導方式による感応コマンドである場合、手書き入力モードに応じて前記タッチコマンドを処理し、静電容量方式による感応コマンドである場合、タッチ制御モードに応じて前記タッチコマンドを処理するステップと、
を含み、
前記タッチスクリーン上に生成されたタッチコマンドを受信するステップの後に、
前記タッチコマンドのタッチスクリーンにおける接触点座標を取得するステップと、
前記タッチコマンドのタッチスクリーンにおける接触点座標が第１領域に位置するか、それとも第２領域に位置するかを判断するステップと、ただし、前記第１領域は少なくとも手書き入力を行うことに用いられ、前記第２領域は制御を行う領域であり、
取得した前記接触点座標が第１領域内に位置すると判断した場合、前記のタッチコマンドが静電容量方式による感応コマンドであるか、それとも電磁誘導方式による感応コマンドであるかを判断するステップに入るステップと、
を含む静電容量方式と電磁誘導方式のデュアルモードタッチスクリーンのタッチ制御方法。
【請求項４】
前記のタッチコマンドのタッチスクリーン上における接触点座標が第１領域に位置するか、それとも第２領域に位置するかを判断するステップの後に、
取得した前記接触点座標が第２領域内に位置すると判断した場合、タッチ制御モードに応じて前記タッチコマンドを処理するステップをさらに含む請求項３に記載のタッチ制御方法。
【請求項５】
前記の手書き入力モードに応じて前記タッチコマンドを処理するステップは、
手書き入力モードに応じて前記タッチコマンドを第１領域に表示される手書き筆跡に変換して手書き筆跡記録を行うことを含む請求項４に記載のタッチ制御方法。
【請求項６】
前記の静電容量方式による感応コマンドであるとタッチ制御モードに応じてタッチコマンドを処理するステップは、
静電容量方式による感応コマンドである場合、タッチ制御モードに応じて第１領域にコントロールを表示し、前記コントロールの、タッチコマンドに対応する機能をトリガーすること、又はタッチ制御モードに応じて第１領域にコントロールを表示せず、直接に前記タッチコマンドに対応する機能をトリガーすること、又はタッチ制御モードに応じて第１領域にコントロールを表示しないとともに、いかなる機能をトリガーしないことを含む請求項４に記載のタッチ制御方法。
【請求項７】
前記の取得した前記接触点座標が第２領域内に位置すると判断した場合、タッチ制御モードに応じて前記タッチコマンドを処理するステップは、
取得した前記接触点座標が第２領域内に位置すると判断した場合、タッチ制御モードに応じて静電容量方式による感応コマンド又は電磁誘導方式による感応コマンドを制御コマンドとして、前記第２領域内に表示されるコントロールの制御コマンドに対応する機能をトリガーする請求項４に記載のタッチ制御方法。
【請求項８】
前記のタッチスクリーン上に生成されたタッチコマンドを受信するステップの前に、
前記タッチスクリーン上における手書きアプリケーションコントロールをタッチして生成した手書きアプリケーションに入る制御コマンドを受信し、前記手書きアプリケーションは手書き機能を具備するすべてのサブアプリケーションを集積するステップと、
前記の手書きアプリケーションに入る制御コマンドに応じて手書きアプリケーションを起動し、前記タッチスクリーン上に手書き機能を具備する少なくとも２つのサブアプリケーションコントロールを表示するステップと、
そのうち１つの前記サブアプリケーションコントロールをタッチして生成したサブアプリケーションに入る制御コマンドを受信するステップと、
前記のサブアプリケーションに入る制御コマンドに応じてサブアプリケーションを起動し、前記タッチスクリーン上に相応のサブアプリケーションに対応する第１領域及び第２領域を表示するステップと、
を含む請求項３に記載のタッチ制御方法。
【請求項９】
前記のサブアプリケーションに入る制御コマンドに応じてサブアプリケーションを起動するステップの後に、
前記タッチスクリーン上に表示されるサブアプリケーションのファイル新規作成コントロール又はファイル導入コントロールをタッチして対応して生成したファイル新規作成制御コマンド又はファイル導入制御コマンドを受信するステップと、
前記ファイル新規作成制御コマンドに応じて新規ファイルを１つ新規作成して前記新規ファイルを開き、前記タッチスクリーン上に新規ファイルに対応する第１領域及び第２領域を表示し、又は前記ファイル導入制御コマンドに応じて、選択された旧ファイルを導入して前記旧ファイルを開き、前記タッチスクリーン上に旧ファイルに対応する第１領域及び第２領域を表示するステップと、
を含む請求項８に記載のタッチ制御方法。
【請求項１０】
前記のサブアプリケーションに入る制御コマンドに応じてサブアプリケーションを起動し、前記タッチスクリーン上に相応のサブアプリケーションに対応する第１領域及び第２領域を表示するステップは、
サブアプリケーションに入る制御コマンドに応じてサブアプリケーションを起動し、前記タッチスクリーン上に相応のサブアプリケーションに対応する第１領域及び第２領域、少なくとももう１つのサブアプリケーションコントロールを表示することを含み、
前記のサブアプリケーションに入る制御コマンドに応じてサブアプリケーションを起動し、前記タッチスクリーン上に相応のサブアプリケーションに対応する第１領域及び第２領域を表示するステップの後に、
もう１つのサブアプリケーションコントロールのサブアプリケーションコントロールをタッチして生成したもう１つのサブアプリケーションに入る制御コマンドを受信するステップと、
前記のもう１つのサブアプリケーションに入る制御コマンドに応じてもう１つのサブアプリケーションを起動し、前記タッチスクリーン上にもう１つのサブアプリケーションに対応する第１領域及び第２領域を表示するステップと、
を含む請求項８に記載のタッチ制御方法。
【請求項１１】
前記タッチスクリーン上に生成されたタッチコマンドを受信するステップの前に、
タッチスクリーンの上側にサスペンションして生成した検知コマンドを受信するステップと、
前記検知コマンドが電磁誘導方式による感応コマンドであるか、静電容量方式による感応コマンドであるかを判断するステップと、
前記検知コマンドが電磁誘導方式による感応コマンドである場合、前記検知コマンドを取得した継続時間が時間閾値以上であるかどうかを判断するステップと、
前記継続時間が時間閾値以上である場合、注釈モードをオンにするステップと、
前記タッチスクリーン上に生成したタッチコマンドを受信するステップと、
前記タッチコマンドが静電容量方式による感応コマンドであるか、それとも電磁誘導方式による感応コマンドであるかを判断するステップと、
電磁誘導方式による感応コマンドである場合、手書き入力モードに応じて前記タッチコマンドを処理し、静電容量方式による感応コマンドである場合、タッチ制御モードに応じて前記タッチコマンドを処理するステップと、
を含む請求項３に記載のタッチ制御方法。
【請求項１２】
前記のタッチコマンドが静電容量方式による感応コマンドであるか、それとも電磁誘導方式による感応コマンドであるかを判断するステップにおいて、前記タッチコマンドが電磁誘導方式による感応コマンドであると判断した場合、スクリーンショットをキャプチャし、前記スクリーンショット内において手書き入力モードに応じて前記タッチコマンドを処理して注釈を行う請求項１１に記載のタッチ制御方法。
【請求項１３】
静電容量方式と電磁誘導方式のデュアルモードタッチスクリーンを備えるハンドヘルド電子装置であって、
前記タッチスクリーン上に生成したタッチコマンドを受信するためのコマンド取得モジ
ュールと、
前記タッチコマンドが静電容量方式による感応コマンドであるか、それとも電磁誘導方式による感応コマンドであるかを判断するためのコマンドタイプ判断モジュールと、
前記コマンドタイプ判断モジュールはタッチコマンドが電磁誘導方式による感応コマンドであると判断した場合、手書き入力モードに応じて前記タッチコマンドを処理し、前記コマンドタイプ判断モジュールはタッチコマンドが静電容量方式による感応コマンドであると判断した場合、タッチ制御モードに応じて前記タッチコマンドを処理するためのコマンド処理モジュールと、
を備え、
前記コマンド取得モジュールは、タッチコマンドのタッチスクリーン上における接触点座標を取得することにさらに用いられ、
前記ハンドヘルド電子装置は、前記コマンド取得モジュールが取得したタッチコマンドのタッチスクリーン上における接触点座標が第１領域に位置するか、それとも第２領域に位置するかを判断するための接触点領域判断モジュールを備え、前記第１領域は少なくとも手書き入力を行うことに用いられ、前記第２領域は制御を行う領域であり、且つ、前記接触点領域判断モジュールは取得した接触点座標が第１領域に位置すると判断した場合、前記コマンドタイプ判断モジュールは、前記タッチコマンドが静電容量方式による感応コマンドであるか、それとも電磁誘導方式による感応コマンドであるかを判断する操作を行うハンドヘルド電子装置。
【請求項１４】
前記コマンド処理モジュールは、さらに具体的に、取得した前記接触点座標が第２領域内に位置すると判断した場合、タッチ制御モードに応じて前記タッチコマンドを処理することに用いられる請求項１３に記載のハンドヘルド電子装置。
【請求項１５】
前記コマンド処理モジュールは手書き入力モード処理ユニットを備え、前記手書き入力モード処理ユニットは、前記コマンドタイプ判断モジュールは取得したタッチコマンドが電磁誘導方式による感応コマンドであると判断した場合、手書き入力モードに応じて前記タッチコマンドを処理することに用いられ、そのうち、手書き入力モードに応じて前記タッチコマンドを処理することとは、前記タッチコマンドを第１領域に表示される手書き筆跡に変換して手書き筆跡記録を行うことである請求項１４に記載のハンドヘルド電子装置。
【請求項１６】
前記コマンド処理モジュールは、タッチ制御モード処理ユニットを備え、前記タッチ制御モード処理ユニットは、前記コマンドタイプ判断モジュールは取得したタッチコマンドが静電容量方式による感応コマンドであると判断した場合、タッチ制御モードに応じて前記タッチコマンドを処理することに用いられ、そのうち、タッチ制御モードに応じて前記タッチコマンドを処理することとは、第１領域にコントロールを表示し、前記コントロールの、タッチコマンドに対応する機能をトリガーすること、又は第１領域にコントロールを表示せず、前記タッチコマンドに対応する機能を直接にトリガーすること、又は第１領域にコントロールを表示しないとともに、いかなる機能をトリガーしないことである請求項１４に記載のハンドヘルド電子装置。
【請求項１７】
前記コマンド処理モジュールは、具体的に取得した前記接触点座標が第２領域内に位置すると判断した場合、タッチ制御モードに応じて静電容量方式による感応コマンド又は電磁誘導方式による感応コマンドを制御コマンドとして、前記第２領域内に表示されるコントロールの制御コマンドに対応する機能をトリガーすることに用いられる請求項１４に記載のハンドヘルド電子装置。
【請求項１８】
前記ハンドヘルド電子装置はコマンド前処理モジュールをさらに備え、前記コマンド前処理モジュールは、
前記タッチスクリーン上における手書きアプリケーションコントロールをタッチして生成した手書きアプリケーションに入る制御コマンドを受信することに用いられる第１受信ユニットと、ただし、前記手書きアプリケーションは手書き機能を具備するすべてのサブアプリケーションを集積したものであり、
前記の手書きアプリケーションに入る制御コマンドに応じて手書きアプリケーションを起動し、前記タッチスクリーン上に手書き機能を具備する少なくとも２つのサブアプリケーションコントロールを表示することに用いられる第１起動ユニットと、
そのうち１つの前記サブアプリケーションコントロールをタッチして生成したサブアプリケーションに入る制御コマンドを受信することに用いられる第２受信ユニットと、
前記のサブアプリケーションに入る制御コマンドに応じてサブアプリケーションを起動し、前記タッチスクリーン上に相応のサブアプリケーションに対応する第１領域及び第２領域を表示することに用いられる第２起動ユニットと、
を備える請求項１３に記載のハンドヘルド電子装置。
【発明の詳細な説明】
【技術分野】
【０００１】
本発明は静電容量方式と電磁誘導方式のデュアルモードタッチスクリーンのタッチ制御方法及びハンドヘルド電子装置に関する。
【背景技術】
【０００２】
従来、ハンドヘルド電子装置に用いるタッチスクリーンの入力モードは、通常、電磁誘導方式によるタッチ入力モード又は静電容量方式によるタッチ入力モードを用いる。
【０００３】
そのうち、電磁誘導方式によるタッチ入力モードは、位置決め精度が高く、電磁ペンの傾斜角度及び圧力情報が得られ、原筆跡で書き、製図などに便利であるが、それはかならず電磁ペンを使用しなければならず、書き又は製図以外、ユーザはほかの操作を行うときにも必ず電磁ペンを使用しなければならないことから、不便である。  
【０００４】
また、静電容量方式によるタッチ入力モードは指によって触れて入力することにより、便利で柔軟性があり、電磁誘導方式によるタッチ入力モードに存在する欠陥を補うことができるが、指で触れると、タッチスクリーンに掛かる圧力の大きさの情報を直観的に反映できないことから、位置決め精度が低く、更に、ユーザが原筆跡による入力を使用する時、迫真して該原筆跡をシミュレートすることができなくなり、そして、該入力モードは位置決め精度が低いことにより、精度要求の高い製図機能にも適用できない。
【０００５】
従来技術では、多くの上記ハンドヘルド電子装置向けのオフィスアプリケーションソフトウエア、たとえば、メモ帳等が適応して設計されたが、これらのオフィスアプリケーションソフトウエアはいずれも１種のみの入力方式に対応し、ある程度の不変性を有する。
【０００６】
たとえば：電磁誘導方式によるタッチ入力モードに対応する電子機器は、電磁ペン又はハードボタンで例えばページターニング等の操作を行うことしかできず、しかしながら、実際の操作では、すべての操作がいずれも電磁ペンで行うことはユーザの手動によるページターニングする等の常習慣に合わず、そして、静電容量方式によるタッチ入力モードに対応する電子機器は、ユーザの原筆跡による入力の表示特徴をプレゼンテーションしようとしても、該入力モードは位置決め精度が低いため、おおよその筆跡軌跡をプレゼンテーションすることしかできず、筆鋒、頓筆等の効果の付いた原筆跡効果を実現できず、ユーザの原筆跡プレゼンテーションへの要求を満たすことができないとともに、該入力モードはサイン、手描き等の応用ニーズにもうまく満足できない。
【０００７】
【発明の概要】
【発明が解決しようとする課題】
【０００８】
本発明が主に解決しようとする技術課題は、ユーザの原筆跡プレゼンテーションへの要求を満たすとともに、操作が簡単で便利であるという要求を満たすことができる静電容量方式と電磁誘導方式のデュアルモードタッチスクリーンのタッチ制御方法及びハンドヘルド電子装置を提供することである。
【課題を解決するための手段】
【０００９】
上記技術課題を解決するために、本発明に用いる技術案１は、静電容量方式と電磁誘導方式のデュアルモードタッチスクリーンのタッチ制御方法であって、該タッチスクリーン上の手書きアプリケーションコントロールをタッチして生成した手書きアプリケーションに入る制御コマンドを受信するステップ（手書きアプリケーションは手書き機能を具備するすべてのサブアプリケーションを集積した）と、手書きアプリケーションに入る制御コマンドに応じて手書きアプリケーションを起動し、タッチスクリーン上に上に手書き機能を具備する少なくとも２つのサブアプリケーションコントロールを表示するステップと、そのうち１つの前記サブアプリケーションコントロールをタッチして生成したサブアプリケーションに入る制御コマンドを受信するステップと、サブアプリケーションに入る制御コマンドに応じてサブアプリケーションを起動し、タッチスクリーン上に上に相応のサブアプリケーションに対応する第１領域及び第２領域を表示するステップ（そのうち、第１領域は少なくとも手書き入力を行うことに用いられ、第２領域は制御を行う領域である）と、タッチスクリーン上に生成されたタッチコマンドを受信するステップと、タッチスクリーン上のタッチコマンドの接触点座標を取得するステップと、タッチコマンドのタッチスクリーン上における接触点座標が第１領域に位置するか、それとも第２領域に位置するかを判断するステップと、接触点座標が第１領域内に位置すると判断した場合、タッチコマンドが静電容量方式による感応コマンドであるか、電磁誘導方式による感応コマンドであるかを判断するステップと、電磁誘導方式による感応コマンドである場合、手書き入力モードに応じてタッチコマンドを処理し、静電容量方式による感応コマンドである場合、タッチ制御モードに応じてタッチコマンドを処理するステップと、接触点座標が第２領域内に位置すると判断した場合、タッチ制御モードに応じてタッチコマンドを処理するステップと、を含む静電容量方式と電磁誘導方式のデュアルモードタッチスクリーンのタッチ制御方法を提供する。
【００１０】
そのうち、手書き入力モードに応じてタッチコマンドを処理するステップは、手書き入力モードに応じてタッチコマンドを第１領域で表示される手書き筆跡に変換して手書き筆跡記録を行う。
【００１１】
上記技術課題を解決するために、本発明に用いる技術案２は、静電容量方式と電磁誘導方式のデュアルモードタッチスクリーンのタッチ制御方法であって、タッチスクリーン上に生成されたタッチコマンドを受信するステップと、タッチコマンドが静電容量方式による感応コマンドであるか、電磁誘導方式による感応コマンドであるかを判断するステップと、電磁誘導方式による感応コマンドである場合、手書き入力モードに応じてタッチコマンドを処理し、静電容量方式による感応コマンドである場合、タッチ制御モードに応じてタッチコマンドを処理するステップと、を含む静電容量方式と電磁誘導方式のデュアルモードタッチスクリーンのタッチ制御方法を提供する。
【００１２】
そのうち、タッチスクリーン上に生成されたタッチコマンドを受信するステップの後に、タッチコマンドのタッチスクリーン上における接触点座標を取得するステップと、タッチコマンドのタッチスクリーン上における接触点座標が第１領域に位置するか、それとも第２領域に位置するかを判断するステップ（そのうち、第１領域は少なくとも手書き入力を行うことに用いられ、第２領域は制御を行う領域である）と、接触点座標が第１領域内に位置すると判断した場合、タッチコマンドが静電容量方式による感応コマンドであるか、電磁誘導方式による感応コマンドであるかを判断することに移行するステップと、を含む。
【００１３】
そのうち、タッチコマンドのタッチスクリーン上における接触点座標が第１領域に位置するか、それとも第２領域に位置するかを判断するステップの後、さらに、接触点座標が第２領域内に位置すると判断した場合、タッチ制御モードに応じてタッチコマンドを処理するステップを含む。
【００１４】
そのうち、手書き入力モードに応じてタッチコマンドを処理するステップは、手書き入力モードに応じてタッチコマンドを第１領域で表示される手書き筆跡に変換して手書き筆跡記録を行うことを含む。
【００１５】
そのうち、静電容量方式による感応コマンドである場合、タッチ制御モードに応じてタッチコマンドを処理するステップは、静電容量方式による感応コマンドである場合、タッチ制御モードに応じて第１領域にコントロールを表示し、コントロールのタッチコマンドに対応する機能をトリガーすること、又はタッチ制御モードに応じて第１領域にコントロールを表示せず、直接にタッチコマンドに対応する機能をトリガーすること、又はタッチ制御モードに応じて第１領域にコントロールを表示しないとともに、いかなる機能もトリガーしないこと、を含む。
【００１６】
そのうち、接触点座標が第２領域内に位置すると判断した場合、タッチ制御モードに応じてタッチコマンドを処理するステップは、接触点座標が第２領域内に位置すると判断した場合、タッチ制御モードに応じて静電容量方式による感応コマンド又は電磁誘導方式による感応コマンドを制御コマンドとし、第２領域内に表示されるコントロールの制御コマンドに対応する機能をトリガーすることを含む。
【００１７】
そのうち、タッチスクリーン上に生成されたタッチコマンドを受信するステップの前に、該タッチスクリーン上における手書きアプリケーションコントロールをタッチして生成した手書きアプリケーションに入る制御コマンドを受信するステップ（手書きアプリケーションは手書き機能を具備するすべてのサブアプリケーションを集積した）と、手書きアプリケーションに入る制御コマンドに応じて手書きアプリケーションを起動し、タッチスクリーン上に手書き機能を具備する少なくとも２つのサブアプリケーションコントロールを表示するステップと、そのうち１つの前記サブアプリケーションコントロールをタッチして生成したサブアプリケーションに入る制御コマンドを受信するステップと、サブアプリケーションに入る制御コマンドに応じてサブアプリケーションを起動し、タッチスクリーン上に相応のサブアプリケーションに対応する第１領域及び第２領域を表示するステップと、を含む。
【００１８】
そのうち、サブアプリケーションに入る制御コマンドに応じてサブアプリケーションを起動するステップの後に、該タッチスクリーン上に表示されるサブアプリケーションのファイル新規作成コントロール又はファイル導入コントロールをタッチすることによって生成されたファイル新規作成制御コマンド又はファイル導入制御コマンドを受信することと、ファイル新規作成制御コマンドに応じて１つの新規ファイルを新規作成して、その新規ファイルを開き、タッチスクリーン上に新規ファイルに対応する第１領域及び第２領域を表示することと、又はファイル導入制御コマンドに応じて選択された旧ファイルを導入して、その旧ファイルを開き、タッチスクリーン上に旧ファイルに対応する第１領域及び第２領域を表示することと、を含む。
【００１９】
そのうち、サブアプリケーションに入る制御コマンドに応じてサブアプリケーションを起動し、タッチスクリーン上に相応のサブアプリケーションに対応する第１領域及び第２領域を表示するステップは、サブアプリケーションに入る制御コマンドに応じてサブアプリケーションを起動し、タッチスクリーン上に相応のサブアプリケーションに対応する第１領域及び第２領域や、少なくとももう１つのサブアプリケーションコントロールを表示することを含み、サブアプリケーションに入る制御コマンドに応じてサブアプリケーションを起動し、タッチスクリーン上に相応のサブアプリケーションに対応する第１領域及び第２領域を表示するステップの後に、もう１つのサブアプリケーションコントロールをタッチして生成したもう１つのサブアプリケーションに入る制御コマンドを受信するステップと、もう１つのサブアプリケーションに入る制御コマンドに応じてもう１つのサブアプリケーションを起動し、タッチスクリーン上にもう１つのサブアプリケーションに対応する第１領域及び第２領域を表示するステップと、を含む。
【００２０】
そのうち、タッチスクリーン上に生成されたタッチコマンドスを受信するテップの前に、タッチスクリーンの上側にサスペンションして生成した検知コマンドを受信するステップと、検知コマンドが電磁誘導方式による感応コマンドであるか、静電容量方式による感応コマンドであるかを判断するステップと、検知コマンドが電磁誘導方式による感応コマンドである場合、検知コマンドを取得する継続時間が時間閾値以上であるかどうかを判断するステップと、継続時間が時間閾値以上である場合、注釈モードをオンにするステップと、を含む。
【００２１】
そのうち、タッチコマンドが静電容量方式による感応コマンドであるか、電磁誘導方式による感応コマンドであるかを判断するステップでは、タッチコマンドが電磁誘導方式による感応コマンドであると判断した場合、スクリーンショットをキャプチャし、スクリーンショットにおいて手書き入力モードに応じてタッチコマンドを処理する。
【００２２】
上記技術課題を解決するために、本発明に用いる技術案３は、静電容量方式と電磁誘導方式のデュアルモードタッチスクリーンを備えたハンドヘルド電子装置であって、タッチスクリーン上に生成されたタッチコマンドを受信するためのコマンド取得モジュールと、タッチコマンドが静電容量方式による感応コマンドであるか、電磁誘導方式による感応コマンドであるかを判断するためのコマンドタイプ判断モジュールと、コマンドタイプ判断モジュールはタッチコマンドが電磁誘導方式による感応コマンドであると判断した場合、手書き入力モードに応じてタッチコマンドを処理し、コマンドタイプ判断モジュールはタッチコマンドが静電容量方式による感応コマンドであると判断した場合、タッチ制御モードに応じてタッチコマンドを処理するためのコマンド処理モジュールと、を備えたハンドヘルド電子装置を提供する。
【００２３】
そのうち、コマンド取得モジュールは、さらにタッチコマンドのタッチスクリーン上における接触点座標を取得することに用いられ、ハンドヘルド電子装置は、コマンド取得モジュールが取得したタッチコマンドのタッチスクリーン上における接触点座標が第１領域に位置するか、それとも第２領域に位置するかを判断するための接触点領域判断モジュールを備え、第１領域は少なくとも手書き入力を行うことに用いられ、第２領域は制御を行う領域である。そして、接触点領域判断モジュールは取得した接触点座標が第１領域に位置すると判断した場合、コマンドタイプ判断モジュールは、タッチコマンドが静電容量方式による感応コマンドであるか、電磁誘導方式による感応コマンドであるかの判断する操作を行う。
【００２４】
そのうち、コマンド処理モジュールは、さらに具体的には、接触点座標が第２領域内に位置すると判断した場合、タッチ制御モードに応じてタッチコマンドを処理することに用いられる。
【００２５】
そのうち、コマンド処理モジュールは手書き入力モード処理ユニットを備え、電磁誘導処理ユニットは、コマンドタイプ判断モジュールはタッチコマンドが電磁誘導方式による感応コマンドであると判断した場合、手書き入力モードに応じてタッチコマンドを処理することに用いられ、そのうち、手書き入力モードに応じてタッチコマンドを処理することとは、タッチコマンドを第１領域で表示される手書き筆跡に変換して手書き筆跡記録を行うことである。
【００２６】
そのうち、コマンド処理モジュールはタッチ制御モード処理ユニットを備え、タッチ制御モード処理ユニットは、コマンドタイプ判断モジュールはタッチコマンドが静電容量方式による感応コマンドであると判断した場合、タッチ制御モードに応じてタッチコマンドを処理することに用いられ、そのうち、タッチ制御モードに応じてタッチコマンドを処理することとは、第１領域にコントロールを表示し、コントロールのタッチコマンドに対応する機能をトリガーすること、又は第１領域にコントロールを表示せず、直接にタッチコマンドに対応する機能をトリガーすること、又はタッチ制御モードに応じて第１領域にコントロールを表示しないとともに、いかなる機能もトリガーしないことである。
【００２７】
そのうち、コマンド処理モジュールは、さらに具体的に、接触点座標が第２領域内に位置すると判断した場合、タッチ制御モードに応じて静電容量方式による感応コマンド又は電磁誘導方式による感応コマンドを制御コマンドとし、第２領域内に表示されるコントロールの制御コマンドに対応する機能をトリガーすることに用いられる。
【００２８】
そのうち、ハンドヘルド電子装置はコマンド前処理モジュールをさらに備え、コマンド前処理モジュールは、該タッチスクリーン上における手書きアプリケーションコントロールをタッチして生成した手書きアプリケーションに入る制御コマンドを受信することに用いられる第１受信ユニット（手書きアプリケーションは手書き機能を具備するすべてのサブアプリケーションを集積した）と、手書きアプリケーションに入る制御コマンドに応じて手書きアプリケーションを起動し、タッチスクリーン上に手書き機能を具備する少なくとも２つのサブアプリケーションコントロールを表示することに用いられる第１起動ユニットと、そのうち１つの前記サブアプリケーションコントロールをタッチして生成したサブアプリケーションに入る制御コマンドを受信することに用いられる第２受信ユニットと、サブアプリケーションに入る制御コマンドに応じてサブアプリケーションを起動し、タッチスクリーン上に相応のサブアプリケーションに対応する第１領域及び第２領域を表示することに用いられる第２起動ユニットと、を備えた。
【発明の効果】
【００２９】
本発明の有益な効果は、従来技術と違い、本発明のタッチ制御方法は、タッチコマンドが静電容量方式による感応コマンドに属するか、電磁誘導方式による感応コマンドに属するかを判断して、電磁誘導方式による感応コマンドである場合、手書き入力モードに応じてタッチコマンドを処理し、静電容量方式による感応コマンドである場合、タッチ制御モードに応じてタッチコマンドを処理することにより、手書き入力モードに応じてタッチコマンドを処理することは、ユーザの原筆跡プレゼンテーションへの要求を満たすことができるため、筆鋒、頓筆等付きの原筆跡効果を実現できるとともに、サイン、手描き等の応用ニーズにもうまく満足できて、タッチ制御モードに応じてタッチコマンドを処理することは、ユーザの指でページターニングする等の常習慣に更に合うため、操作が簡単で便利であるという要求を満たすことができ、ユーザエクスペリエンスの効果を向上させることができる。
【００３０】
【図面の簡単な説明】
【００３１】
【図１】図１は本発明に係る静電容量方式と電磁誘導方式のデュアルモードタッチスクリーンのタッチ制御方法の第１の実施形態のフローチャートである。
【００３２】
【図２】図２は本発明に係る静電容量方式と電磁誘導方式のデュアルモードタッチスクリーンのタッチ制御方法の第２の実施形態のフローチャートである。
【００３３】
【図３】図３は本発明に係る静電容量方式と電磁誘導方式のデュアルモードタッチスクリーンのタッチ制御方法の第２の実施形態における第１領域、第２領域の実施形態のインタフェース構造模式図である。
【００３４】
【図４】図４は本発明に係る静電容量方式と電磁誘導方式のデュアルモードタッチスクリーンのタッチ制御方法の第３の実施形態のフローチャートである。
【００３５】
【図５】図５は本発明に係る静電容量方式と電磁誘導方式のデュアルモードタッチスクリーンのタッチ制御方法の第３の実施形態の一アプリケーションインターフェースの構造模式図である。
【００３６】
【図６】図６は本発明に係る静電容量方式と電磁誘導方式のデュアルモードタッチスクリーンのタッチ制御方法の第３の実施形態のもう１つのアプリケーションインターフェースの構造模式図である。
【００３７】
【図７】図７は本発明に係る静電容量方式と電磁誘導方式のデュアルモードタッチスクリーンのタッチ制御方法の第３の実施形態のさらにもう１つのアプリケーションインターフェースの構造模式図である。
【００３８】
【図８】図８は本発明に係る静電容量方式と電磁誘導方式のデュアルモードタッチスクリーンのタッチ制御方法の第４の実施形態のフローチャートである。
【００３９】
【図９】図９は本発明に係る静電容量方式と電磁誘導方式のデュアルモードタッチスクリーンのタッチ制御方法の第５の実施形態のフローチャートである。
【００４０】
【図１０】図１０は本発明に係るハンドヘルド電子装置の第１の実施形態の構造模式図である。
【００４１】
【図１１】図１１は本発明に係るハンドヘルド電子装置の第２の実施形態の構造模式図である。
【００４２】
【図１２】図１２は本発明に係るハンドヘルド電子装置の第３の実施形態の構造模式図である。
【００４３】
【図１３】図１３は本発明に係るハンドヘルド電子装置の第４の実施形態の構造模式図である。
【００４４】
【図１４】、
【図１５】、
【図１６】図１４〜図１６は本発明に係る静電容量方式と電磁誘導方式のデュアルモードタッチスクリーンのタッチ制御方法実施形態におけるアプリケーションインターフェースの構造模式図である。
【００４５】
【発明を実施するための形態】
【００４６】
以下、図面及び実施例を参照しながら本発明を詳細に説明する。
【００４７】
まず、静電容量方式タッチスクリーン及び電磁誘導方式タッチスクリーンの作動原理をそれぞれ説明する。
【００４８】
静電容量方式タッチスクリーンは、普通、人体の微弱電流を感知することによりタッチ制御を実現する。電磁誘導方式タッチスクリーンは、普通、電磁誘導方式により、電磁ペンを電磁を発生するものとし、電磁板を電磁を感応するものとして、電磁ペンを近接させて磁束の変化を感知し、計算によって接触点を定義し、それによりタッチ制御を実現する。
【００４９】
本発明に係るタッチスクリーンは静電容量方式タッチスクリーン機能及び電磁誘導方式タッチスクリーン機能を兼ね備えるデュアルモードタッチスクリーンを指す。全明細書において、静電容量方式による感応コマンドは通常、ユーザが指でタッチスクリーンをタッチ制御して生成したコマンドを指し、電磁誘導方式による感応コマンドは通常、ユーザが電磁ペンでタッチスクリーンをタッチして生成したコマンドを指す。
【００５０】
図１を参照する。図１は本発明に係る静電容量方式と電磁誘導方式のデュアルモードタッチスクリーンのタッチ制御方法の第１の実施形態のフローチャートである。本発明の第１の実施形態では、以下のステップを含んでいる。
【００５１】
ステップＳ１１：タッチスクリーン上に生成されたタッチコマンドを受信する。
【００５２】
指でタッチスクリーンをタッチするか、電磁ペンでタッチスクリーンをタッチするかにもかかわらず、タッチスクリーンはいずれも対応するタッチコマンドを生成し、システムによりタッチコマンドを取得する。デュアルモードタッチスクリーンの作動原理はそのうちの静電容量方式タッチスクリーンが静電容量方式タッチコマンドを検出して取得することができ、電磁誘導方式タッチスクリーンが電磁誘導方式タッチコマンドを検出して取得することができる。従って、いずれのモードの感応コマンドもタッチスクリーンに取得されることができる。本明細書においてデュアルモードタッチスクリーンに対する定義は上記に限らず、任意の２種のモードのタッチコマンドを検出することができるタッチスクリーンであってもよく、且つ２つのタッチスクリーンが独立して分けられる構造形式にも限らず、１つのタッチスクリーンで、任意の２種のモードのタッチコマンドを検出することができるものであってもよい。
【００５３】
ステップＳ１２：タッチコマンドが静電容量方式による感応コマンドであるか、電磁誘導方式による感応コマンドであるかを判断する。
【００５４】
ステップＳ１３：電磁誘導方式による感応コマンドである場合、手書き入力モードに応じて前記タッチコマンドを処理し、静電容量方式による感応コマンドである場合、タッチ制御モードに応じて前記タッチコマンドを処理するステップ。
【００５５】
全明細書では、
【００５６】
電磁誘導方式による感応コマンドに対して、手書き入力モードに応じて処理することは、すなわちユーザが手書き入力した筆跡をプレゼンテーションすることである。
【００５７】
静電容量方式による感応コマンドに対して、異なる静電容量方式による感応コマンドは異なる制御コマンドに対応し、タッチ制御モードに応じて処理することは、すなわち異なる静電容量方式による感応コマンドに応じて対応する機能をトリガーすることである。
【００５８】
本発明の実施形態は、タッチコマンドが静電容量方式による感応コマンドに属するか、電磁誘導方式による感応コマンドに属するかを判断して、電磁誘導方式による感応コマンドである場合、手書き入力モードに応じてタッチコマンドを処理し、静電容量方式による感応コマンドである場合、タッチ制御モードに応じてタッチコマンドを処理し、ただし、手書き入力モードに応じてタッチコマンドを処理することは、ユーザの原筆跡プレゼンテーションへの要求を満たすことができるため、筆鋒、頓筆等付きの原筆跡効果効果を実現でき、サイン、手描き等の応用ニーズにもうまく満足できて、タッチ制御モードに応じてタッチコマンドを処理することは、ユーザの指でページターニングする等の常習慣に更に合うため、操作が簡単で便利であるという要求を満たすことができ、ユーザエクスペリエンスの効果を向上させることができる。
【００５９】
図２を参照する。図２は本発明に係る静電容量方式と電磁誘導方式のデュアルモードタッチスクリーンのタッチ制御方法の第２の実施形態のフローチャートである。本発明に係る第２の実施形態では、以下のステップを含んでいる。
【００６０】
ステップＳ１０１：タッチスクリーン上に生成されたタッチコマンドを受信し、タッチコマンドのタッチスクリーン上における接触点座標を取得する。
【００６１】
指でタッチスクリーンをタッチ制御するか、電磁ペンでタッチスクリーンをタッチ制御するかにもかかわらず、タッチスクリーンに対するタッチ制御が有効な操作である場合、タッチスクリーンは対応するタッチコマンドを生成してタッチコマンドを取得するとともに、該タッチコマンドのタッチスクリーン上における接触点座標を取得する。
【００６２】
ステップＳ１０２：タッチコマンドのタッチスクリーン上における接触点座標が第１領域に位置するか、それとも第２領域に位置するかを判断する。そのうち、第１領域は少なくとも手書き入力を行うことに用いられ、第２領域は制御を行う領域である。第１領域に対して、第１領域を、手書き入力機能を有する領域のみとして設定してもよいが、もちろん、実際のニーズに応じて、第１領域を、手書き入力機能及び手書き制御機能を有する領域として設定してもよい。
【００６３】
そのうち、第１領域及び第２領域の区分は、通常、ユーザのニーズに応じて最終的にソフトウェアインタフェース設計方式により区分を行い、もちろん他の区分方式であってもよく、ここで具体的な制限はしない。例を挙げて説明すると、図３に示すように、１つのサブアプリケーションにおいて、タッチスクリーン１００は第１領域１０１及び第２領域１０２に区分され、第１領域１０１は少なくとも手書き入力を行うことに用いられ、すなわち第１領域１０１は主に手書き入力を行うことに用いられ、もちろんコントロールに用いられることもできる。第２領域１０２はコントロールのみに用いられる。図３において、「十」字状の記号はタッチコマンドのタッチスクリーン上における接触点を示す。後続ステップを行うために、ステップＳ１０２において接触点（図３に示す「十」）の座標が第１領域１０１に位置するか、第２領域１０２に位置するかを、あらかじめ判断する必要がある。
【００６４】
ステップＳ１０３：取得した接触点座標が第１領域内に位置すると判断した場合、タッチコマンドが静電容量方式による感応コマンドであるか、電磁誘導方式による感応コマンドであるかを判断する。
【００６５】
ステップＳ１０４：電磁誘導方式による感応コマンドである場合、手書き入力モードに応じてタッチコマンドを処理し、静電容量方式による感応コマンドである場合、タッチ制御モードに応じてタッチコマンドを処理する。
【００６６】
接触点座標が第１領域内にある時、タッチコマンドが電磁誘導方式による感応コマンドである場合、手書き入力モードに応じてタッチコマンドを処理し、ユーザの手書き入力の筆跡を最終に反映し、タッチコマンドが静電容量方式による感応コマンドである場合、タッチ制御モードに応じて処理する。すなわち、その対応する制御操作に応答し、例えば、そのページターニング、スケーリング、ドラッグアンドドロップ等の制御操作に応答する。
【００６７】
本発明の実施形態では、タッチコマンドのタッチスクリーン上における接触点座標が第１領域に位置するか、第２領域に位置するかを判断し、接触点座標が第１領域内に位置する時、タッチコマンドが静電容量方式による感応コマンドに属するか、は電磁誘導方式による感応コマンドに属するかを引き続いて判断し、電磁誘導方式による感応コマンドである場合、手書き入力モードに応じてタッチコマンドを処理し、静電容量方式による感応コマンドである場合、タッチ制御モードに応じてタッチコマンドを処理し、ただし、手書き入力モードに応じてタッチコマンドを処理することはユーザの原筆跡プレゼンテーションへの要求を満たすことができ、タッチ制御モードに応じてタッチコマンドを処理することは操作が簡単で便利であるという要求を満たし、ユーザエクスペリエンスの効果を向上させることができる。
【００６８】
図４を参照する。図４は本発明に係る静電容量方式と電磁誘導方式のデュアルモードタッチスクリーンのタッチ制御方法の第３の実施形態のフローチャートである。本発明の第３の実施形態では、以下のステップを含んでいる。
【００６９】
ステップＳ２０１：該タッチスクリーン上における手書きアプリケーションコントロールをタッチして生成した手書きアプリケーションに入る制御コマンドを受信する。そのうち、手書きアプリケーションは手書き機能を具備するすべてのサブアプリケーションを集積した。図５に示すように、タッチスクリーン１００の中央における手書きアプリケーション２００は手書き機能を行うことができる複数のサブアプリケーションに一つの統一の入り口を提供し、手書きアプリケーション２００に入ってから、ユーザに手書き機能を有する複数のサブアプリケーションをプレゼンテーションし、ユーザは各自の要求に応じてサブアプリケーションを選択して操作する。
【００７０】
ステップＳ２０２：手書きアプリケーションに入る制御コマンドに応じて手書きアプリケーションを起動し、タッチスクリーン上に手書き機能を具備する少なくとも２つのサブアプリケーションコントロールを表示する。
【００７１】
図５及び図６を参照し、図５において、手書きアプリケーション２００をクリックすると、図６に示すインタフェースに入る。該インタフェースは、手書き機能を具備する３つのサブアプリケーションコントロールを表示し、該３つのサブアプリケーションコントロールはそれぞれ、メモ帳サブアプリケーション２０１、原稿サブアプリケーション２０２、及び手描きサブアプリケーション２０３を示す。もちろん、具体的にサブアプリケーションコントロールを設計する時、上記の例の数及びタイプに制限されない。
【００７２】
ステップＳ２０３：そのうち１つの前記サブアプリケーションコントロールをタッチして生成したサブアプリケーションに入る制御コマンドを受信する。
【００７３】
ステップＳ２０４：サブアプリケーションに入る制御コマンドに応じてサブアプリケーションを起動する。
【００７４】
ステップＳ２０５：該タッチスクリーン上に表示されるサブアプリケーションのファイル新規作成コントロール又はファイル導入コントロールをタッチし、対応して生成したファイル新規作成制御コマンド又はファイル導入制御コマンドを受信する。
【００７５】
ステップＳ２０６：ファイル新規作成制御コマンド又はファイル導入制御コマンドに応じて、タッチスクリーン上に、相応のサブアプリケーションに対応する第１領域及び第２領域を表示する。
【００７６】
具体的に、ステップＳ２０６において、ファイル新規作成制御コマンドに応じて１つの新規ファイルを新規作成して該新規ファイルを開き、タッチスクリーン上に新規ファイルに対応する第１領域及び第２領域を表示し、又はファイル導入制御コマンドに応じて、選択した旧ファイルを導入して該旧ファイルを開き、タッチスクリーン上に旧ファイルに対応する第１領域及び第２領域を表示する。
【００７７】
該サブアプリケーションは、他の記憶位置から、該サブアプリケーションが対応できるファイルタイプに属するファイルを導入し、タッチスクリーンにより該サブシステムに導入されたファイルを表示することができ、アイコン又は名称によりサブアプリケーションに導入されたファイルを表示することが可能である。
【００７８】
もちろん、ステップＳ２０６は、さらに下記の方式で実現することもできる。
【００７９】
サブステップ１：ファイル新規作成制御コマンドに応じて新規ファイルを１つ新規作成し、又はファイル導入制御コマンドに応じて、選択した旧ファイルを導入する。
【００８０】
サブステップ２：該タッチスクリーン上に表示される新規ファイル又は旧ファイルをタッチするファイルに入る制御コマンドを受信する。
【００８１】
サブステップ３：ファイルに入る制御コマンドに基づいて、選択した新規ファイル又は旧ファイルを起動し、それに対応して前記の選択したファイルの第１領域及び第２領域を表示する。
【００８２】
ステップＳ２０７：タッチスクリーン上に生成されたタッチコマンドを受信し、タッチコマンドのタッチスクリーン上における接触点座標を取得する。
【００８３】
ステップＳ２０８：タッチコマンドのタッチスクリーン上における接触点座標が第１領域に位置するか、それとも第２領域に位置するかを判断する。そのうち、第１領域は少なくとも手書き入力を行うことに用いられ、第２領域は制御を行う領域である。
【００８４】
ステップＳ２０８において、取得した接触点座標が第１領域内に位置すると判断した場合、ステップＳ２０９に移行し、取得した接触点座標が第２領域内に位置すると判断した場合、直接にステップＳ２１１に移行する。
【００８５】
ステップＳ２０９：タッチコマンドが静電容量方式による感応コマンドであるか、電磁誘導方式による感応コマンドであるかを判断する。
【００８６】
ステップＳ２０９において、タッチコマンドが電磁誘導方式による感応コマンドであると判断した場合、ステップＳ２１０に移行し、タッチコマンドが静電容量方式による感応コマンドであると判断した場合、ステップＳ２１１に移行する。
【００８７】
ステップＳ２１０：手書き入力モードに応じてタッチコマンドを処理する。具体的に、手書き入力モードに応じてタッチコマンドを処理することは、手書き入力モードに応じてタッチコマンドを第１領域で表示される手書き筆跡に変換して手書き筆跡記録を行うことを含む。
【００８８】
ステップＳ２１１：タッチ制御モードに応じてタッチコマンドを処理する。
【００８９】
具体的に、以下の２種の状況に分けられる。
【００９０】
状況（１）：ステップＳ２０８からステップＳ２１１に移行すると、すなわち、取得した接触点座標が第２領域に位置すると判断した場合、電磁誘導方式による感応コマンド又は静電容量方式による感応コマンドに対していずれもタッチ制御モードに応じて処理を行う。静電容量方式による感応コマンド又は電磁誘導方式による感応コマンドを制御コマンドとし、第２領域内に表示されるコントロールの制御コマンドに対応する機能をトリガーする。
【００９１】
状況（２）：ステップＳ２０９からステップＳ２１１に移行すると、すなわち、ステップＳ２０８において取得した接触点座標が第１領域に位置すると判断した場合、且つステップＳ２０９において取得したタッチコマンドが静電容量方式による感応コマンドである場合、静電容量方式による感応コマンドに対してタッチ制御モードに応じて処理を行い、すなわち該静電容量方式による感応コマンドに対応する制御操作を識別・応答する。
【００９２】
更に、状況（２）に対して、ステップＳ２０８において取得した接触点座標が第１領域内に位置すると判断した場合、ステップＳ２１１におけるタッチ制御モードに応じてタッチコマンドを処理することは、更に以下のいくつかの状況を含む。
【００９３】
具体的に、
【００９４】
静電容量方式による感応コマンドに対して、主に手書き入力タイプ及び手書き制御タイプの２種のタイプを含み、手書き入力タイプの静電容量方式による感応コマンドは主にユーザが入力した筆跡をプレゼンテーションすることに用いられ、手書き制御類の静電容量方式による感応コマンドは主に他の制御操作、例えばページターニング、フォントのスケーリング、フォントのドラッグ・アンド・ドロップ等に用いられる。
【００９５】
そのうち、静電容量方式による感応コマンドが手書き制御タイプである場合、
【００９６】
タッチ制御モードに応じて第１領域にコントロールを表示し、コントロールのタッチコマンドに対応する機能をトリガーする。図７に示すように、図７には、第１領域１０１において複数のコントロール、例えば上下ローリングページターニング３００、ファンクションキー３０１、前のページをめくる３０２及び次のページをめくる３０３を表示することを示す。上記コントロールをタッチするとコントロールに対応する機能をトリガーする。又はタッチ制御モードに応じて第１領域にコントロールを表示せず、直接にタッチコマンドに対応する機能をトリガーする。例えば、図７に示すように、第１領域１０１にはコントロールを表示せず、この時システムは、第１領域１０１において制御コマンド及び対応する機能を定義することができる。例を挙げると、静電容量方式による感応コマンドがページ上下ローリング制御コマンドである場合、該ページ上下ローリング制御コマンドに応じてページローリング操作を行い、静電容量方式による感応コマンドがスケーリングコマンドである場合、該スケーリングコマンドに応じてページの拡大及び縮小操作を行い、静電容量方式による感応コマンドが文字ドラッグ・アンド・ドロップコマンドである場合、該文字ドラッグ・アンド・ドロップコマンドに応じて文字ドラッグ・アンド・ドロップ操作を行う。このように、第１領域１０１内にコントロールを表示しなくても、第１領域１０１内に制御コマンド及び対応する機能を定義することにより相応な操作を実現することができる。
【００９７】
もう１つの状況では、すなわち、静電容量方式による感応コマンドが手書き入力タイプである場合、
【００９８】
タッチ制御モードに応じて第１領域にコントロールを表示しないとともに、いかなる機能をトリガーしない。すなわち、手書き入力タイプの静電容量方式による感応コマンドを処理せず、具体的に、すなわち、電磁誘導方式による感応コマンドに対応する手書き入力機能との衝突を避けるように、ユーザの手書き入力筆跡をプレゼンテーションしない。
【００９９】
本発明の実施形態では、手書きアプリケーションは、メモ帳サブアプリケーション、原稿サブアプリケーション及び手描きサブアプリケーション等を含むことが可能であり、上記複数のサブアプリケーションはいずれも同一の手書きアプリケーション内に集積され、それにより、手書きアプリケーション機能をよりコンパクト、集積にし、ユーザの使用にもより便利になる。且つ、本発明の実施形態では、サブアプリケーションにおいて、新規ファイルを１つ新規作成すること、又は他の記憶位置から旧ファイルを導入することができ、特に旧ファイルの導入機能は、ユーザの同一タイプのファイルへの検索を便利にさせ、ユーザの操作を簡略化させ、仕事効率を向上させることができる。
【０１００】
図８を参照する。図８は本発明に係る静電容量方式と電磁誘導方式のデュアルモードタッチスクリーンのタッチ制御方法の第４の実施形態のフローチャートである。本発明に係る第４の実施形態では、以下のステップを含んでいる。
【０１０１】
ステップＳ３０１：該タッチスクリーン上における手書きアプリケーションコントロールをタッチして生成した手書きアプリケーションに入る制御コマンドを受信する。そのうち、手書きアプリケーションは手書き機能を具備するすべてのサブアプリケーションを集積した。
【０１０２】
ステップＳ３０２：手書きアプリケーションに入る制御コマンドに応じて手書きアプリケーションを起動し、タッチスクリーン上に手書き機能を具備する少なくとも２つのサブアプリケーションコントロールを表示する。
【０１０３】
ステップＳ３０３：そのうち１つの前記サブアプリケーションコントロールをタッチして生成したサブアプリケーションに入る制御コマンドを受信する。
【０１０４】
ステップＳ３０４：前記のサブアプリケーションに入る制御コマンドに応じてサブアプリケーションを起動し、タッチスクリーン上に相応のサブアプリケーションに対応する第１領域及び第２領域と、少なくとももう１つのサブアプリケーションコントロールとを表示する。
【０１０５】
ステップＳ３０５：もう１つのサブアプリケーションコントロールをタッチして生成したもう１つのサブアプリケーションに入る制御コマンドを受信する。
【０１０６】
ステップＳ３０６：もう１つのサブアプリケーションに入る制御コマンドに応じてもう１つのサブアプリケーションを起動し、タッチスクリーン上にもう１つのサブアプリケーションに対応する第１領域及び第２領域を表示する。
【０１０７】
ステップＳ３０７：タッチスクリーン上に生成されたタッチコマンドを受信し、タッチコマンドのタッチスクリーン上における接触点座標を取得する。
【０１０８】
ステップＳ３０８：タッチコマンドのタッチスクリーン上における接触点座標が第１領域に位置するか、それとも第２領域に位置するかを判断する。そのうち、第１領域は少なくとも手書き入力を行うことに用いられ、第２領域は制御を行う領域である。
【０１０９】
ステップＳ３０８において、取得した接触点座標が第１領域内に位置すると判断した場合、ステップＳ３０９に移行し、取得した接触点座標が第２領域内に位置すると判断した場合、直接にステップＳ３１１に移行する。
【０１１０】
ステップＳ３０９：タッチコマンドが静電容量方式による感応コマンドであるか、電磁誘導方式による感応コマンドであるかを判断する。
【０１１１】
ステップＳ３０９において、取得したタッチコマンドが電磁誘導方式による感応コマンドであると判断した場合、ステップＳ３１０に移行し、タッチコマンドが静電容量方式による感応コマンドであると判断した場合、ステップＳ３１１に移行する。
【０１１２】
ステップＳ３１０：手書き入力モードに応じてタッチコマンドを処理する。具体的に、手書き入力モードに応じてタッチコマンドを処理することは、手書き入力モードに応じてタッチコマンドを第１領域で表示される手書き筆跡に変換して手書き筆跡記録を行うことを含む。
【０１１３】
ステップＳ３１１：タッチ制御モードに応じてタッチコマンドを処理する。
【０１１４】
本発明に係る実施形態では、ユーザは１つのサブアプリケーションからもう１つのサブアプリケーションに入ろうとする場合、もう１つのサブシステムのアイコンをクリックして切り替えるだけでよく、該複数のサブアプリケーションを集積した手書きアプリケーションを終了させる必要がなく、ユーザの仕事効率及びユーザエクスペリエンスを大幅に向上させることができる。
【０１１５】
図９を参照する。図９は本発明に係る静電容量方式と電磁誘導方式のデュアルモードタッチスクリーンのタッチ制御方法の第５の実施形態のフローチャートである。本発明に係る第５の実施形態では、以下のステップを含んでいる。
【０１１６】
ステップＳ４０１：タッチスクリーンの上側に生成した検知コマンドを受信する。そのうち、該検知コマンドは前記タッチコマンドと異なり、該検知コマンドは手又は電磁ペンがタッチスクリーンの上側にサスペンションして生成した感応コマンドである。
【０１１７】
ステップＳ４０２：検知コマンドが電磁誘導方式による感応コマンドであるか、静電容量方式による感応コマンドであるかを判断する。
【０１１８】
検知コマンドが電磁コマンドであると判断した場合、ステップＳ４０３に移行し、さもないとステップＳ４０５に移行する。
【０１１９】
ステップＳ４０３：検知コマンドを取得する継続時間が時間閾値以上であるかどうかを判断する。
【０１２０】
そのうち、検知コマンドの継続時間は、電磁ペンがタッチスクリーンの上側にサスペンションし、且つ該デュアルモードタッチスクリーンにより検出できる時間を指す。時間閾値は１秒又は２秒等に設定されてもよく、勿論、具体的な状況に応じて設定するものであり、ここでは制限しない。
【０１２１】
検知コマンドの継続時間が時間閾値以上であると判断した場合、ステップＳ４０４に移行し、さもないと、ステップＳ４０５に移行する。
【０１２２】
ステップＳ４０４：注釈モードをオンにする。
【０１２３】
ステップＳ４０５：タッチスクリーン上に生成したタッチコマンドを受信する。
【０１２４】
ステップＳ４０６：タッチコマンドが静電容量方式による感応コマンドであるか、電磁誘導方式による感応コマンドであるかを判断する。
【０１２５】
タッチコマンドが電磁誘導方式による感応コマンドであると判断した場合、ステップＳ４０７に移行し、さもないと、ステップＳ４０８に移行する。
【０１２６】
ステップＳ４０７：スクリーンショットをキャプチャし、スクリーンショットにおいて手書き入力モードに応じてタッチコマンドを処理する。
【０１２７】
そのうち、スクリーンショットにおいて手書き入力モードに応じてタッチコマンドを処理することは、すなわち、手書き注釈機能を指す。該スクリーンショットは１つの画像として、該スクリーンショットにおいて注釈、備考等の機能を実現することができ、ユーザの原筆跡プレゼンテーションへの要求を満たすとともに、操作が簡単で便利であるという要求を満たすことができる。
【０１２８】
もちろん、ここのスクリーンショットはいかなる表示インタフェース、例えば、ハンドヘルド電子装置が起動されたときの初期表示インタフェースであってもよく、あるサブアプリケーションプログラムに入る表示インタフェースであってもよい。いずれも原筆跡プレゼンテーションの注釈機能を順調に実現できる。
【０１２９】
ステップＳ４０８：タッチ制御モードに応じてタッチコマンドを処理する。
【０１３０】
本発明に係る実施形態では、タッチスクリーンの上側の検知コマンドが電磁誘導方式による感応コマンドでありことを検出し、且つ該電磁誘導方式による感応コマンドの継続時間が時間閾値以上である場合、注釈モードをオンにすることにより、注釈モードにおいてユーザの原筆跡へのプレゼンテーションを実現でき、別途にプッシュボタンを定義又は設定する必要がなく、簡単で便利である。
【０１３１】
図１０を参照する。図１０は本発明に係るハンドヘルド電子装置の第１の実施形態の構造模式図である。本発明の第１の実施形態のハンドヘルド電子装置は、コマンド取得モジュール１、コマンドタイプ判断モジュール２及びコマンド処理モジュール３を備える。
【０１３２】
コマンド取得モジュール１は、タッチスクリーン上に生成されたタッチコマンドを受信し、受信したタッチコマンドをコマンドタイプ判断モジュール２に送信する。
【０１３３】
コマンドタイプ判断モジュール２は、コマンド取得モジュール１からのタッチコマンドを受信し、該タッチコマンドが静電容量方式による感応コマンドであるか、電磁誘導方式による感応コマンドであるかを判断して、判断結果をコマンド処理モジュール３に送信する。
【０１３４】
コマンド処理モジュール３は、コマンドタイプ判断モジュール２からの判断結果及びタッチコマンドを受信する。コマンドタイプ判断モジュール２はタッチコマンドが電磁誘導方式による感応コマンドであると判断した場合、コマンド処理モジュール３は手書き入力モードに応じてタッチコマンドを処理し、コマンドタイプ判断モジュール２はタッチコマンドが静電容量方式による感応コマンドであると判断した場合、コマンド処理モジュール３はタッチ制御モードに応じてタッチコマンドを処理する。
【０１３５】
本発明の実施形態は、タッチコマンドが静電容量方式による感応コマンドに属するか、電磁誘導方式による感応コマンドに属するかを判断して、電磁誘導方式による感応コマンドである場合、手書き入力モードに応じてタッチコマンドを処理し、静電容量方式による感応コマンドである場合、タッチ制御モードに応じてタッチコマンドを処理し、そのうち、手書き入力モードに応じてタッチコマンドを処理することは、ユーザの原筆跡プレゼンテーションへの要求を満たすことができ、筆鋒、頓筆等付きの原筆跡効果を実現するできるとともに、サイン、手描き等の応用ニーズにもうまく満足でき、タッチ制御モードに応じてタッチコマンドを処理することは、ユーザの指でページターニングする等の常習慣に更に合うため、操作が簡単で便利であるという要求を満たすことができ、ユーザエクスペリエンスの効果を向上させることができる。
【０１３６】
図１１を参照する。図１１は本発明に係るハンドヘルド電子装置の第２の実施形態の構造模式図である。本発明に係る第２実施形態のハンドヘルド電子装置は、第１の実施形態の機能や構造と同一又は類似するものとして、コマンド取得モジュール１１、コマンドタイプ判断モジュール１３及びコマンド処理モジュール１４を備える。この実施形態のハンドヘルド電子装置はさらに接触点領域判断モジュール１２を備える。
【０１３７】
コマンド取得モジュール１１は、タッチスクリーン上に生成されたタッチコマンドを受信し、タッチコマンドのタッチスクリーン上における接触点座標をさらに取得して、受信したタッチコマンド及び接触点座標を接触点領域判断モジュール１２に送信する。
【０１３８】
接触点領域判断モジュール１２は、コマンド取得モジュール１１より送信されたタッチコマンド及び接触点座標を受信し、タッチコマンドのタッチスクリーン上における接触点座標が第１領域に位置するか、それとも第２領域に位置するかを判断する。そのうち、第１領域は少なくとも手書き入力を行うことに用いられ、第２領域は制御を行う領域である。接触点領域判断モジュール１２は取得した接触点座標が第１領域に位置すると判断した場合、判断結果及びタッチコマンドをコマンドタイプ判断モジュール１３に送信する。また、接触点領域判断モジュール１２は接触点座標が第２領域内に位置すると判断した場合、直接にタッチコマンドをコマンド処理モジュール１４に送信する。
【０１３９】
コマンドタイプ判断モジュール１３は、接触点領域判断モジュール１２からの判断結果及びタッチコマンドを受信し、接触点領域判断モジュール１２は接触点座標が第１領域内に位置すると判断した場合、コマンドタイプ判断モジュール１３はタッチコマンドが静電容量方式による感応コマンドであるか、それとも電磁誘導方式による感応コマンドであるかを判断する。更に、コマンドタイプ判断モジュール１３は判断結果及びタッチコマンドをコマンド処理モジュール１４に送信する。
【０１４０】
コマンド処理モジュール１４は、コマンドタイプ判断モジュール１３からの判断結果及びタッチコマンドを受信し、コマンドタイプ判断モジュール１３はタッチコマンドが電磁誘導方式による感応コマンドであると判断した場合、コマンド処理モジュール１４は手書き入力モードに応じてタッチコマンドを処理し、コマンドタイプ判断モジュール１３はタッチコマンドが静電容量方式による感応コマンドであると判断した場合、コマンド処理モジュール１４は静電容量方式による感応コマンドのタイプに基づいてタッチ制御モードに応じてタッチコマンドを処理する。且つ、コマンド処理モジュール１４は、さらに接触点領域判断モジュール１２より送信されたタッチコマンドを直接に受信し、タッチ制御モードに応じて該タッチコマンドを処理する。  
【０１４１】
本発明の実施形態のハンドヘルド電子装置は、タッチコマンドのタッチスクリーン上における接触点座標が第１領域に位置するか、第２領域に位置するかを判断して、接触点座標が第１領域内に位置する場合、引き続きタッチコマンドが静電容量方式による感応コマンドに属するか、電磁誘導方式による感応コマンドに属するかを判断し、電磁誘導方式による感応コマンドである場合、手書き入力モードに応じてタッチコマンドを処理し、静電容量方式による感応コマンドである場合、タッチ制御モードに応じてタッチコマンドを処理し、そのうち、手書き入力モードに応じてタッチコマンドを処理することはユーザの原筆跡プレゼンテーションへの要求を満たすことができ、タッチ制御モードに応じてタッチコマンドを処理することは操作が簡単で便利であるという要求を満たし、ユーザエクスペリエンスの効果を向上させることができる。
【０１４２】
図１２を参照する。図１２は本発明に係るハンドヘルド電子装置の第３の実施形態の構造模式図である。本発明に係る第３の実施形態のハンドヘルド電子装置は、第２の実施形態の構造及び機能と同一又は類似するものとして、コマンド取得モジュール２１、接触点領域判断モジュール２２、コマンドタイプ判断モジュール２３及びコマンド処理モジュール２４を備える。
【０１４３】
ハンドヘルド電子装置は、コマンド前処理モジュール２０をさらに備え、該コマンド前処理モジュール２０は、第１受信ユニット２００１、第１起動ユニット２００２、第２受信ユニット２００３、第２起動ユニット２００４を備える。
【０１４４】
第１受信ユニット２００１は、具体的に該タッチスクリーン上における手書きアプリケーションコントロールをタッチして生成した手書きアプリケーションに入る制御コマンドを受信することに用いられ、そのうち、手書きアプリケーションは手書き機能を具備するすべてのサブアプリケーションを集積し、該第１受信ユニット２００１は受信した手書きアプリケーションに入る制御コマンドを第１起動ユニット２００２に送信する。
【０１４５】
第１起動ユニット２００２は、第１受信ユニット２００１からの手書きアプリケーションに入る制御コマンドを受信し、手書きアプリケーションに入る制御コマンドに応じて手書きアプリケーションを起動し、タッチスクリーン上に手書き機能を具備する少なくとも２つのサブアプリケーションコントロールを表示することに用いられる。
【０１４６】
第２受信ユニット２００３は、そのうち１つのサブアプリケーションコントロールをタッチして生成したサブアプリケーションに入る制御コマンドを受信することに用いられ、第２受信ユニット２００３はサブアプリケーションに入る制御コマンドを第２起動ユニット２００４に送信する。
【０１４７】
第２起動ユニット２００４は、第２受信ユニット２００３からのサブアプリケーションに入る制御コマンドを受信し、サブアプリケーションに入る制御コマンドに応じてサブアプリケーションを起動し、タッチスクリーン上に相応のサブアプリケーションに対応する第１領域及び第２領域を表示し、結果をコマンド取得モジュール２１に送信することに用いられる。
【０１４８】
該第２起動ユニット２００４は、具体的に、サブアプリケーションに入る制御コマンドに応じてサブアプリケーションを起動した後、該タッチスクリーン上に表示されるサブアプリケーションのファイル新規作成コントロール又はファイル導入コントロールをタッチして相応的に生成したファイル新規作成制御コマンド又はファイル導入制御コマンドを受信し、そしてファイル新規作成制御コマンドに応じて新規ファイルを１つ新規作成して開き、タッチスクリーン上に新規ファイルに対応する第１領域及び第２領域を表示し、又はファイル導入制御コマンドに応じて選択された旧ファイルを導入して開き、タッチスクリーン上に旧ファイルに対応する第１領域及び第２領域を表示することに用いられる。
【０１４９】
そのうち、コマンド処理モジュール２４は、接触点領域判断モジュール２２からの判断結果及びタッチコマンドを受信することにさらに用いられ、接触点領域判断モジュール２２は接触点座標が第２領域内に位置すると判断した場合、コマンド判断モジュール２４はタッチ制御モードに応じて前記タッチコマンドを処理する。具体的に、接触点領域判断モジュール２２は接触点座標が第２領域内に位置すると判断した場合、コマンド処理モジュール２４はタッチ制御モードに応じて静電容量方式による感応コマンド又は電磁誘導方式による感応コマンドを制御コマンドとし、第２領域内に表示されるコントロールの制御コマンドに対応する機能をトリガーする。
【０１５０】
更に、コマンド処理モジュール２４は、手書き入力モード処理ユニット２４１及びタッチ制御モード処理ユニット２４２を備える。手書き入力モード処理ユニット２４１、タッチ制御モード処理ユニット２４２は、それぞれコマンドタイプ判断モジュール２３に接続され、且つタッチ制御モード処理ユニット２４２はさらに接触点領域判断モジュール２２に直結される。そのうち、
【０１５１】
手書き入力モード処理ユニット２４１は、タッチコマンドが電磁誘導方式による感応コマンドであるとのコマンドタイプ判断モジュール２３による判断結果を受信した時、手書き入力モードに応じてタッチコマンドを処理することに用いられ、そのうち、手書き入力モードに応じてタッチコマンドを処理することは、すなわち、タッチコマンドを第１領域で表示される手書き筆跡に変換して手書き筆跡記録を行うことを指し、
【０１５２】
タッチ制御モード処理ユニット２４２は、タッチコマンドが静電容量方式による感応コマンドであるとのコマンドタイプ判断モジュール２３による判断結果を受信した時、タッチ制御モードに応じてタッチコマンドを処理することに用いられ、そのうち、タッチ制御モードに応じてタッチコマンドを処理することは、具体的に、第１領域にコントロールを表示し、コントロールのタッチコマンドに対応する機能をトリガーし、又はタッチ制御モードに応じて第１領域にコントロールを表示せず、直接にタッチコマンドに対応する機能をトリガーし、又はタッチ制御モードに応じて第１領域にコントロールを表示しないとともに、いかなる機能をトリガーしないことを指す。その具体的な実現方法は以上の説明を参照すればよい。
【０１５３】
本発明の実施形態では、手書きアプリケーションは、メモ帳サブアプリケーション、原稿サブアプリケーション及び手描きサブアプリケーション等を含むことができ、上記複数のサブアプリケーションはいずれも同一の手書きアプリケーション内に集積され、それにより、手書きアプリケーション機能をよりコンパクト、集積にし、ユーザの使用にもより便利になる。且つ、本発明の実施形態中では、サブアプリケーションにおいて、新規ファイルを１つ新規作成すること、又は他の記憶位置から旧ファイルを導入することができ、特に旧ファイル導入機能は、ユーザが同一タイプのファイルを検索することに便利であって、ユーザの操作を簡略化させ、仕事効率を向上させることができる。
【０１５４】
図１３を参照する。図１３は本発明に係るハンドヘルド電子装置の第４の実施形態の構造模式図である。本発明に係る第４の実施形態のハンドヘルド電子装置は、第３の実施形態の構造及び機能と同一又は類似するものとして、コマンド前処理モジュール３０、コマンド取得モジュール３１、接触点領域判断モジュール３２、コマンドタイプ判断モジュール３３及びコマンド処理モジュール３４を備える。
【０１５５】
そのうち、コマンド前処理モジュール３０の第２起動ユニット３００４は、具体的にサブアプリケーションに入る制御コマンドに応じてサブアプリケーションを起動し、前記タッチスクリーン上に相応のサブアプリケーションに対応する第１領域及び第２領域、少なくとももう１つのサブアプリケーションコントロールを表示することにさらに用いられる。
【０１５６】
そして、該コマンド前処理モジュール３０はさらに、
【０１５７】
もう１つのサブアプリケーションコントロールをタッチして生成したもう１つのサブアプリケーションに入る制御コマンドを受信するための第３受信ユニット３００５と、
【０１５８】
もう１つのサブアプリケーションに入る制御コマンドに応じてもう１つのサブアプリケーションを起動し、タッチスクリーン上にもう１つのサブアプリケーションに対応する第１領域及び第２領域を表示するための第３起動ユニット３００６と、を備える。
【０１５９】
本発明の実施形態では、ユーザは１つのサブアプリケーションからもう１つのサブアプリケーションに入ろうとする時、もう１つのサブシステムのアイコンをクリックして切り替えるだけでよく、該複数のサブアプリケーションを集積した手書きアプリケーションを終了させる必要がなく、ユーザの仕事効率及びユーザエクスペリエンスを大幅に向上させることができる。
【０１６０】
上記実施形態において、第１領域は入力領域と表示領域に分けられることが可能であり、そのうち、入力領域はさらにソフトキーボードインタフェースによりタッチ入力を実現できる。この場合、指又は電磁ペンでタッチスクリーンをタッチ制御すると、いずれも識別や応答されうる、このような構造設計を採用するころにより、ユーザの入力方式の多様性を向上させることができる。  
【０１６１】
図１４〜図１６を参照する。図１４〜図１６は本発明に係る静電容量方式と電磁誘導方式のデュアルモードタッチスクリーンのタッチ制御方法実施形態におけるアプリケーションインターフェースの構造模式図である。簡単に説明すると、
【０１６２】
図１４に示すように、タッチスクリーン１００の中央に１つの手書きアプリケーションを表示し、該手書きアプリケーションはユーザのために統一のプログラム入り口を提供し、ユーザは指又は電磁ペンで手書きアプリケーションをタッチ制御して図１５に示すインタフェースに入る。
【０１６３】
図１５に示すように、手書きアプリケーションにはメモ帳サブアプリケーション、原稿サブアプリケーション及び手描きサブアプリケーションを集積したが、サブアプリケーションの種類は上記の３つに制限されない。図１５に示すように、ユーザが指又は電磁ペンでメモ帳サブアプリケーションをタッチ制御すると、タッチスクリーン１００の右部に１つの表示インタフェースを出現し、該インタフェースはメモ帳サブアプリケーションに含まれるファイルを表示し（図１５には１つの「新規作成メモ帳」ファイルを表示した）、続いてユーザは指又は電磁ペンで「新規作成メモ帳」ファイルをタッチし、図１６に示すインタフェースに入る。
【０１６４】
図１６に示すように、タッチスクリーン１００上に２つの領域、すなわち第１領域１０１及び第２領域１０２が表示され、簡単に言えば、第１領域１０１は手書き入力領域であって、電磁ペンによる手書き入力又は指による制御操作を識別・応答することに用いられ、第２領域１０２は普通、コントロール領域であって、電磁ペン又は指の制御操作を識別・応答することに用いられる。該第１領域１０１及び該第２領域１０２は前記方法により作動し、ここでは説明を略する。
【０１６５】
上述のことにより、本発明に係る静電容量方式と電磁誘導方式のデュアルモードタッチスクリーンのタッチ制御方法及びそのハンドヘルド電子装置は、下記利点を有する。
【０１６６】
（１）指及び電磁ペンをともに用いる方式で、第１領域において文書を書く場合、電磁ペンを使用すると、ユーザの手書き筆跡を如実に反映することができて、第１領域において他の操作を行う場合、指を使用すると操作しやく便利である。
【０１６７】
（２）複数の同一又は類似する機能のサブアプリケーションを１つの手書きアプリケーションに集積して、機能がコンパクトで、統一的であり、ユーザの仕事効率を向上させることができる。
【０１６８】
（３）サブアプリケーションにおいて新規ファイルを１つ新規作成すること、又は他の記憶位置から該サブアプリケーションが対応できるファイルタイプのファイルを導入することができ、管理に便利であり、ユーザの仕事効率を向上させることができる。
【０１６９】
以上は、本発明の実施形態に過ぎず、本発明の特許範囲を制限するものではなく、本発明の明細書及び図面内容を利用して行った等価構造又は等価プロセス変換、直接又は間接の他の関連の技術分野への応用は、いずれも同様に本発明の特許保護範囲に含まれる。
【図１】
0006041989.tif 000002
【図２】
0006041989.tif 000003
【図３】
0006041989.tif 000004
【図４】
0006041989.tif 000005
【図５】
0006041989.tif 000006
【図６】
0006041989.tif 000007
【図７】
0006041989.tif 000008
【図８】
0006041989.tif 000009
【図９】
0006041989.tif 000010
【図１０】
0006041989.tif 000011
【図１１】
0006041989.tif 000012
【図１２】
0006041989.tif 000013
【図１３】
0006041989.tif 000014
【図１４】
0006041989.tif 000015
【図１５】
0006041989.tif 000016
【図１６】
0006041989.tif 000017